(57)【要約】【課題】キャビネットの扉が勝手に開くことを確実に防止する。【解決手段】開扉防止具本体２と、キャビネットの扉の左右の合わせ目の夫々に取着する面ファスナー７、７とをもって構成する。開扉防止具本体２は、牛革からなる長方形の前面板３の背面の長さ方向及び幅方向の略全域に、長方形のアルミ製芯板４を挟んで長方形の面ファスナーの一方側５を取着し、更に前記前面板３の背面における長さ方向のいずれか一方の端部に、摘み部を形成するための牛革からなる長方形の板６を取着してなる。【選択図】図３
0003176512.tif 000002
【実用新案登録請求の範囲】
【請求項１】
皮革からなる長方形の前面板の背面の長さ方向及び幅方向の略全域に、長方形のアルミ製芯板を挟んで長方形の面ファスナーの一方側を取着し、更に前記前面板の背面における長さ方向のいずれか一方の端部に、摘み部を形成するための皮革からなる長方形の板を取着してなる開扉防止具本体と，前記開扉防止具本体における面ファスナーの一方側と接着する、キャビネットの扉の左右の合わせ目の夫々に接着剤又は粘着剤をもって取着する面ファスナーのもう一方側とをもって構成してなるキャビネットの開扉防止具。
【考案の詳細な説明】
【技術分野】
【０００１】
本考案は食器戸棚等のキャビネットの開扉防止具に関するものである。
【背景技術】
【０００２】
地震等によって家屋が大きく振動すると、食器戸棚等のキャビネットの扉が勝手に開き、収納してある食器その他の器物が床上に落下し、それらが破損して大きな被害を受けることはしばしば経験するところである。そこで、地震等の際にも勝手にキャビネットの扉が開くことがないようにするための、而も低コストで誰でも容易に実施できる手段の案出が要望されている。
【考案の概要】
【考案が解決しようとする課題】
【０００３】
本考案は上記の点に鑑みなされたものであって、キャビネットの扉の左右の合わせ目に張り渡すようになし、もって地震等の際にも勝手にキャビネットの扉が開くことを確実に防止することができ、而も低コストで誰でも容易に実施できるようになしたキャビネットの開扉防止具を提供しようとするものである。
【課題を解決するための手段】
【０００４】
而して、本考案の要旨とするところは、皮革からなる長方形の前面板の背面の長さ方向及び幅方向の略全域に、長方形のアルミ製芯板を挟んで長方形の面ファスナーの一方側を取着し、更に前記前面板の背面における長さ方向のいずれか一方の端部に、摘み部を形成するための皮革からなる長方形の板を取着してなる開扉防止具本体と，前記開扉防止具本体における面ファスナーの一方側と接着する、キャビネットの扉の左右の合わせ目の夫々に接着剤又は粘着剤をもって取着する面ファスナーのもう一方側とをもって構成してなるキャビネットの開扉防止具にある。
【考案の効果】
【０００５】
本考案は上記の如き構成であり、キャビネットの扉の左右の合わせ目に取着した一方側の面ファスナーに、前面板の背面に取着した面ファスナーのもう一方側を接着し、アルミ製芯板を有する開扉防止具本体をキャビネットの扉の左右の合わせ目に張り渡すものである。したがって、かんぬきと同様に作用して扉が勝手に開くことを確実に防止することができるものである。また、構成する各部材も安価であり、且つ製作も容易であるから、低コストであり、また、キャビネットの扉へのセットも、誰でも容易に行うことができるものである。加えて前面板は牛革等の皮革からなるものであるから安っぽい印象を与えることがなく、セットしたときにキャビネットの美感を損なうことがないものである。また、キャビネットの扉へのセットにあたって螺子や釘を用いないから、取り付け部分に傷がつくこともないものである。
【図面の簡単な説明】
【０００６】
【図１】本考案の実施形態に係るキャビネットの開扉防止具の正面図である。
【図２】同背面図である。
【図３】同分解した状態の平面図である。
【図４】キャビネットの扉に取着する面ファスナーの正面図である。
【図５】前面板の正面図である。
【図６】摘み部形成用の板の正面図である。
【図７】アルミ製芯板の正面図である。
【図８】開扉防止具本体の面ファスナーの正面図である。
【図９】本考案のセットの手順の説明図である。
【図１０】本考案のセット完了時の状態の説明図である。
【図１１】扉の開閉を行うときの状態の説明図である。
【考案を実施するための形態】
【０００７】
以下、本考案を実施するための形態について、図面を参照して説明する。
【０００８】
図中、１はキャビネットの開扉防止具であり、後記開扉防止具本体と、キャビネットの扉の左右の合わせ目の夫々に取着する面ファスナーとをもって構成するものである。
【０００９】
２は前記開扉防止具本体である。該開扉防止具本体２は、皮革からなる長方形の前面板３の背面の長さ方向及び幅方向の略全域に、長方形のアルミ製芯板４を挟んで長方形の面ファスナーの一方側５を取着し、更に前記前面板３の背面における長さ方向のいずれか一方の端部に、摘み部を形成するための皮革からなる長方形の板６を取着してなるものである。尚、本実施形態においては、前記皮革としては牛革を用いている。また、面ファスナーの一方側５及び摘み部を形成するための板６の前面板３の背面への取着は、周囲を縫着することによって行っている。
【００１０】
７、７は前記開扉防止具本体２における面ファスナーの一方側５と接着する面ファスナーのもう一方側であり、キャビネットの扉の左右の合わせ目の夫々に接着剤又は粘着剤をもって取着するものである。また、８、８は該面ファスナーのもう一方側７、７の背面の接着剤又は粘着剤に仮貼着した剥離紙である。尚、粘着剤に代えて両面粘着テープを用いてもよい。その他、図中Ｃはキャビネットである食器戸棚、Ｃ１はその扉、Ｃ１ａ、Ｃ１ｂは該扉Ｃ１の左右の合わせ目を示す。
【００１１】
次に、本考案の使用方法について説明する。
先ず、キャビネットＣの扉Ｃ１へのセットについて説明すると、図９に示す如く、面ファスナーの一方側５に面ファスナーのもう一方側７、７を所定間隔に離して接着させた状態において、これら面ファスナーのもう一方側７、７の背面に仮貼着した剥離紙８、８を剥がす。そして、この状態においてキャビネットの開扉防止具１を、キャビネットＣの扉Ｃ１における左右の合わせ目Ｃ１ａ、Ｃ１ｂの適宜の位置に押し当てる。これにより図１０に示す如く、接着剤又は粘着剤によって開扉防止具１はキャビネットＣの扉Ｃ１にセットされる。
【００１２】
このような状態にあっては、アルミ製芯板４を有する開扉防止具本体２がキャビネットＣの扉Ｃ１の左右の合わせ目Ｃ１ａ、Ｃ１ｂに張り渡した状態となる。したがって、かんぬきと同様に作用して扉Ｃ１が勝手に開くことを確実に防止することができるものである。
【００１３】
次に、上記の扉へのセット後における扉の開閉について説明すると、開扉防止具本体２の長さ方向の端部に形成される摘み部分（背面に板６を取着した部分）を摘んでゆっくり引き剥がすものである。これにより扉Ｃ１は開閉可能になり、剥がした開扉防止具本体２は、図１１に示す如く、扉Ｃ１の左右の合わせ目Ｃ１ａ、Ｃ１ｂのいずれかに縦にして貼り付けておくものである。そして扉Ｃ１を再び閉じておくときには、開扉防止具本体２を再度図１０に示す如く、横に張り渡すものである。
【符号の説明】
【００１４】
１  キャビネットの開扉防止具
２  開扉防止具本体
３  前面板
４  アルミ製芯板
５  面ファスナーの一方側
６  摘み部形成用の板
７、７  面ファスナーのもう一方側
８、８  剥離紙
【図１】
0003176512.tif 000003
【図２】
0003176512.tif 000004
【図３】
0003176512.tif 000005
【図４】
0003176512.tif 000006
【図５】
0003176512.tif 000007
【図６】
0003176512.tif 000008
【図７】
0003176512.tif 000009
【図８】
0003176512.tif 000010
【図９】
0003176512.tif 000011
【図１０】
0003176512.tif 000012
【図１１】
0003176512.tif 000013